(57)【特許請求の範囲】
【請求項１】
角形の頂面部および底面部の間に、対向する２つの側面パネルと他の対向する側面パネルが形成された足場台であって、前記４つの側面パネルのうち対向する２つの側面パネルは、頂面部、底面部の両方に取り付けられ、内方へ屈曲自在に形成されて頂面部、底面部の間で折り畳み立ち上げを可能とし、他の対向する２つの側面パネルは、内方へ屈曲した形状に形成されて、頂面部または底面部に取り付けられ、頂面部または底面部に沿って回動折り畳みを可能とし、頂面部と底面部とを離間させて頂面部、底面部の両方に取り付けられた２つの側面パネルを立ち上げ、頂面部または底面部に取り付けられ、内方へ屈曲した形状に形成された他の２つの側面パネルを折り畳み状態から回動させて、前記対向する２つの側面パネルの内側を他の対向する２つの側面パネルの側縁部で支持し、４つの側面パネルが内側へ屈曲した形状で組合わされるよう構成したことを特徴とする折り畳み式足場台。
【請求項２】
前記請求項１に記載の折り畳み式足場台を連結して構成したことを特徴とする足場。
【発明の詳細な説明】
【０００１】
【発明の属する技術分野】
本発明は、建築工事現場、室内作業現場などで使用され、とくに住宅内や狭い場所における天井、壁面などの内外装工事、配線工事、その他の作業において使用される折り畳み式足場台および該折り畳み式足場台を連結してなる足場に関する。
【０００２】
【従来の技術】
従来、建物の天井、壁面などの内外装装工事や電気配線など、最大高さが２ｍ程度の高所作業には、長方形状の天板にステップをそなえた梯子状の主脚を折り畳み可能に設けた可搬式の足場台が使用されている（実開昭６−５６３２１号公報）が、この形式の足場台は、とくに、室内やベランダなど、狭い場所における天井、壁面などの内装工事に使用しようとする場合には、サイズの点で、その場所での設置が難しい場合が少なくない。
【０００３】
この問題を解決するために、発明者の一部は、とくに狭い場所における建物の天井、壁面などの内外装装工事や電気配線などの高所作業で使用するのに好適な足場台として、互いに係合または嵌合可能な立方体形状または直方体形状の足場台要素からなり、これらの足場台要素を互いに連結、組合わせて形成する組合わせ式足場台を提案した（特願２０００−２２６７０６号）。
【０００４】
【発明が解決しようとする課題】
本発明は、上記の組み合わせ式足場台の改良としてなされたものであり、その目的は、足場台要素を折り畳み式に構成して狭い場所への搬入性、狭い場所での組立容易性をさらに改善するとともに、荷重に対して安定した構造として、さらに安全性を改善した折り畳み式足場台および該折り畳み式足場台を連結してなる足場を提供することにある。
【０００５】
【課題を解決するための手段】
上記の目的を達成するための、本発明の請求項１による折り畳み式足場台は、角形の頂面部および底面部の間に、対向する２つの側面パネルと他の対向する側面パネルが形成された足場台であって、前記４つの側面パネルのうち対向する２つの側面パネルは、頂面部、底面部の両方に取り付けられ、内方へ屈曲自在に形成されて頂面部、底面部の間で折り畳み立ち上げを可能とし、他の対向する２つの側面パネルは、内方へ屈曲した形状に形成されて、頂面部または底面部に取り付けられ、頂面部または底面部に沿って回動折り畳みを可能とし、頂面部と底面部とを離間させて頂面部、底面部の両方に取り付けられた２つの側面パネルを立ち上げ、頂面部または底面部に取り付けられ、内方へ屈曲した形状に形成された他の２つの側面パネルを折り畳み状態から回動させて、前記対向する２つの側面パネルの内側を他の対向する２つの側面パネルの側縁部で支持し、４つの側面パネルが内側へ屈曲した形状で組合わされるよう構成したことを特徴とする。
【０００９】
また、本発明による足場は、請求項１に記載の折り畳み式足場台を連結して構成したことを特徴とする。
【００１０】
【発明の実施の形態】
以下、本発明の折り畳み式足場台および足場の構成、使用方法などを図面により説明する。なお、これらの態様は、本発明の好ましい一実施態様を説明するためのものであり、これによって本発明が制限されるものではない。
【００１２】
本発明の好ましい態様においては、折り畳み式足場台は、図２に示すように、角形の頂面部２および底面部３の側辺部または内部から延出する対向する２つの側面パネル４Ａ、４Ｂが内方へ屈曲自在に形成され、図６に示すように、該２つの側面パネル４Ａ、４Ｂを内方へ屈曲した状態で、内側から頂面部２または底面部３の側辺部または内部から延出する他の対向する２つの側面パネル５Ａ、５Ｂの側縁部で支持する。この場合、図６に示すように、２つの側面パネル４Ａ、４Ｂの側縁部またはその近傍を、他の対向する２つの側面パネル５Ａ、５Ｂの側縁部で支持し、突き合わせ部Ｔを形成するよう構成するのが好ましい。
【００１３】
本発明においては、前記のように、２つの側面パネル４Ａ、４Ｂを内方へ屈曲した状態で、内側から頂面部２または底面部３から延出する他の対向する２つの側面パネル５Ａ、５Ｂの側縁部で支持する場合、他の対向する２つの側面パネル５Ａ、５Ｂは、図６に示すように、内方へ屈曲した形状に形成されるのが好ましい。
【００１４】
以下、本発明の折り畳み式足場１の好ましい実施形態について説明すると、折り畳み式足場台１において、図２〜４に示すように、対向する２つの側面パネル４Ａ、４Ｂは、頂面部２および底面部３の両側辺部に取り付けられ、中央に位置する屈曲部６において内方へ屈曲自在に形成され、頂面部２および底面部３の間で折り畳み（図２）および立ち上げ（図３）が可能となっている。
【００１５】
他の対向する２つの側面パネル５Ａ、５Ｂは、図３〜５に示すように、好ましくは頂面部２の側辺部に取り付けられ、その中央部が内方へ固定した角度で屈曲した形状に形成され、頂面部２の裏側に沿って回動折り畳みを可能に構成されている。このため、頂面部２および底面部３は、折り畳まれた側面パネルを収納し得る空間部１１、１０（図４〜５）を有するよう、例えば、頂面部２、底面部３共に、それぞれ頂面および底面が閉じた箱形、または頂面部２は頂面が閉じた箱形で、底面部３は底面が開放された枠形（図４）に形成されるのが好ましい。
【００１６】
本発明の折り畳み式足場１の組み立ては、まず、図１に示すように、側面パネル４Ａ、４Ｂ、５Ａ、５Ｂを折り畳んで、頂面部２と底面部３とを重ねた状態から、図２に示すように、頂面部２の把手孔１２により頂面部２を上方へ持ち上げ、頂面部２と底面部３とを離間させて頂面部２および底面部３の側辺部に取り付けられた２つの側面パネル４Ａ、４Ｂを立ち上げる。
【００１７】
側面パネル４Ａ、４Ｂの立ち上げによって、頂面部２の裏側に沿って折り畳まれている側面パネル５Ａ、５Ｂ（図４）は、図３に示すように、重力により下方へ回動させる（図５の矢印Ｘ方向）。
【００１８】
この場合、図７に示すように、頂面部２、底面部３の両方に取り付けられ、中央部で内方へ屈曲自在に形成された対向する２つの側面パネル４Ａ、４Ｂの下部に突条７を設けることもでき、２つの側面パネル５Ａ、５Ｂを折り畳み状態から回動させた際、突条７を底面部３の側辺部３Ａ内側に係止させると、図８および図６に示すように、２つの側面パネル４Ａ、４Ｂの側縁部またはその近傍が他の２つの側面パネル５Ａ、５Ｂの側縁部により支持されて突き合わせ部Ｔが形成され、側面パネル４Ａ、４Ｂ、５Ａ、５Ｂが固定され、頂面部２および底面部３が側面パネル４Ａ、４Ｂ、５Ａ、５Ｂで支持された構造となる。
【００２０】
本発明の折り畳み式足場台１は、頂面部２および底面部３から延出する対向する２つの側面パネル４Ａ、４Ｂが内方へ屈曲した状態で、内側から他の対向する２つの側面パネル５Ａ、５Ｂの側縁部で支持されているから、頂面部２に上方から荷重が負荷された場合、側面パネル４Ａ、４Ｂ、５Ａ、５Ｂが外方に開くことがなく、安定して荷重を支えることができる。
【００２１】
また、対向する２つの側面パネル４Ａ、４Ｂが内方へ屈曲した状態で、内側から他の対向する２つの側面パネル５Ａ、５Ｂの側縁部で支持されているため、頂面部２の上方から負荷され、頂面部２と底面部３との間に圧縮荷重がかかった場合、荷重が側面パネルの側壁に伝わるから、耐圧縮荷重の優れたものとなる。４つの側面パネル４Ａ、４Ｂ、５Ａ、５Ｂが内側に屈曲した形状で組合わされた図６に示す構造の足場台においては、とくに耐圧縮荷重が大きく剛性の優れた足場台が構成される。
【００２２】
図６に示す構造の折り畳み式足場台１においては、さらに、４つの側面パネル４Ａ、４Ｂ、５Ａ、５Ｂの側縁部またはその近傍が内側に屈曲した形状で組合わされ、側面パネルの周囲が互いに拘束され、固定されているから、横荷重に対しても変形が生じ難く、使用時に負荷される種々の方向からの荷重に対してきわめて安定した構造となる。
【００２３】
組み立てた足場台１を折り畳むには、図６の状態から、頂面部２を把手孔１２により上方に引き上げ、図５に示すように、側面パネル５Ａ、５Ｂを矢印Ｙ方向に上方へ回動させる。
【００２４】
ついで、側面パネル４Ａ、４Ｂの中央に位置する屈曲部６を手で押して内方へ屈曲させ、頂面部２を底面部３に向けて下ろし、図１に示すように、頂面部２を底面部３上に重ね、折り畳み状態とする。なお、本発明の折り畳み式足場台は、軽量化の観点から、ポリプロピレンなどの合成樹脂、繊維強化プラスチック（ＦＲＰ）、アルミニウムなどの金属、またはその組合わせから構成するのが好ましい。
【００２５】
本発明の折り畳み式足場台は、図１に示す折り畳み状態で作業現場に搬入し、現場において、図６に示す状態に組み立て、内外装工事、配線工事などの作業面高さに応じて、例えば図９に示すように、適宜組合わせ、連結して足場とする。例えば、組み立て状態において、縦、横、高さがそれぞれ５０ｃｍの足場台の場合には、２段積みで高さが１ｍ、３段に積めば高さが約１．５ｍとなり、幅方向に２〜３個並べて安定させれば、４段積みも可能であり、約２ｍ高さの足場台を形成することもできる。頂面部２は、作業者の作業面となるため、図１、図６に示すように、滑り止め９を設けるのが好ましい。
【００２６】
足場台を連結、組み合わせるために、足場台の側面に互いに嵌合し得る凹凸部（図示せず）を設けるのが好ましく、頂面部２には、図１、図６に示すような溝条８を形成し、これらの溝条８と底面部３の側辺部３Ａとを嵌着させ、上方への連結を安定させることもできる。
【００２７】
【実施例】
以下、本発明の実施例について説明する。
実施例１
図１〜８に示すような構成をそなえた折り畳み式足場台（材質：繊維強化プラスチック、組み立て時の寸法：縦５０ｃｍ、横５０ｃｍ、高さ５０ｃｍ）を作製し、これらの足場台を、折り畳み状態で床面積の狭い住宅内に搬入し、連結、組み合わせて、天井、壁面作業、配線作業を行ったところ、狭い設置面積内で安定した足場が形成され、きわめて安全に作業を行うことができた。
【００２８】
設置場所への運搬は、足場台を折り畳んだ状態で行うことができるから、どんな狭い場所への持ち運びも容易であり、組立ても簡単で、狭い場所でも何ら支障なく組立て、使用後は容易に折り畳むことができ、つぎの設置場所へ容易に運搬することが可能である。
【００２９】
【発明の効果】
本発明によれば、建築工事現場、室内作業現場などで使用でき、とくに狭い場所における建物の天井、壁面などの内外装装工事や電気配線などの作業で使用するのに好適な荷重に対して安定した構造の折り畳み式足場台が提供される。
【００３０】
また、本発明によれば、折り畳み状態で設置場所へ搬入し、狭い設置場所においても、作業面の高さに応じて自由に連結、組み合わせ、安定した足場が形成される。
【図面の簡単な説明】
【図１】  本発明の折り畳み式足場台を折り畳んだ状態を示す斜視図である。
【図２】  図１の足場台を少し開いた状態を示す斜視図である。
【図３】  図２の足場台をさらに開いた状態を示す斜視図である。
【図４】  図３を別の角度からみた斜視図である。
【図５】  本発明の折り畳み式足場台における側面パネルの回動、折り畳み状態を示す略図である。
【図６】  本発明の折り畳み式足場台の一実施例の組み立て状態を示す斜視図である。
【図７】  本発明の折り畳み式足場台における側面パネルに設けた突条を示す斜視図である。
【図８】  図７に示す突条と底面部の側辺部内部との係合状態を示す斜視図である。
【図９】  本発明の折り畳み式足場台を連結、組み合わせて構成した足場の一例を示す略式斜視図である。
【図１】
0004469483.tif 000002
【図２】
0004469483.tif 000003
【図３】
0004469483.tif 000004
【図４】
0004469483.tif 000005
【図５】
0004469483.tif 000006
【図６】
0004469483.tif 000007
【図７】
0004469483.tif 000008
【図８】
0004469483.tif 000009
【図９】
0004469483.tif 000010